(57)【要約】【課題】扉の開放時に、ストライク板表面やトロヨケ凹部内に、螺合締結部材の工具係着部が表出しないストライク穴調整機構を得る。【解決手段】非開閉体１１側に固定され扉開閉端から進退する錠ボルトの進入するストライク穴２３が穿設された平板状のストライク板１５と、ストライク板１５と非開閉体１１との間に位置して非開閉体１１に固定され螺合手段２９にてストライク板１５の固定される固定面を有するとともに固定面より低い段部を有し且つ段部より低く凹設され錠ボルトが進入可能となる凹部４３を有したトロヨケ１７と、錠ボルトの側部が当接する衝止縁４５ｂを有しトロヨケ１７とストライク板１５との間で左右方向に移動自在となり螺合締結部材２１を介して移動が規制されてトロヨケ１７に締結固定される調整板１９とを備え、螺合締結部材２１の工具係着部４９ａを段部に配置してストライク板１５によって覆った。【選択図】      図１
2008179976.tif 000002
【特許請求の範囲】
【請求項１】
非開閉体側に固定され扉開閉端から進退する錠ボルトの進入するストライク穴が穿設された平板状のストライク板と、
該ストライク板と前記非開閉体との間に位置して前記非開閉体に固定され螺合手段にて該ストライク板の固定される固定面を有するとともに該固定面より低い段部を有し且つ該段部より低く凹設され前記錠ボルトが進入可能となる凹部を有したトロヨケと、
前記錠ボルトの側部が当接する衝止縁を有し該トロヨケと前記ストライク板との間で左右方向に移動自在となり螺合締結部材を介して前記移動が規制されて前記トロヨケに締結固定される調整板と、
を備え、
前記螺合締結部材の工具係着部が前記段部に配置されて前記ストライク板によって覆われることを特徴とするストライク穴調整機構。
【請求項２】
前記螺合締結部材が、
前記調整板及び前記トロヨケを貫通して一端部に前記工具係着部を形成したネジと、
前記トロヨケの背面で該ネジに螺合するナット部材と、
からなることを特徴とする請求項１記載のストライク穴調整機構。
【請求項３】
前記調整板には前記ネジの貫通する上下長穴が形成され、
前記トロヨケには前記ネジの貫通する斜め長穴が形成されたことを特徴とする請求項２記載のストライク穴調整機構。
【請求項４】
前記トロヨケの背面には、前記ナット部材の外周が当接して該ナット部材の回転を規制する回転阻止板が前記斜め長穴に沿って設けられたことを特徴とする請求項３記載のストライク穴調整機構。
【請求項５】
前記回転阻止板が、前記ナット部材を挟む左右方向の前記衝止縁側に配設されたことを特徴とする請求項４記載のストライク穴調整機構。
【発明の詳細な説明】
【技術分野】
【０００１】
本発明は、扉開閉端から突出される錠ボルトの側部衝止位置が左右方向に調整可能となるストライク穴調整機構に関する。
【背景技術】
【０００２】
扉は、扉開閉端から突出させたラッチボルト、デッドボルト、デッドボルト兼用のラッチボルト、又はグレモン錠係止杆、或いはこれらを適宜組み合わせた施錠係止手段（以下、「錠ボルト」と言う。）を、扉枠又は両開き扉の他の扉（以下、「非開閉体」と言う。）に係止して閉扉，施錠を可能とする。錠ボルトは、扉開閉端から突出され、非開閉体に固定したストライク板のストライク穴に進入することで、錠ボルト側部がストライク穴の衝止縁に当接して扉を開放不能に施錠する。
【０００３】
この種の施錠構造では、扉枠と扉との建て付けや、施錠装置の施工・製造誤差により、錠ボルトと衝止縁との間に隙間が生じ、その結果、風や振動によって扉にガタツキの生じる場合がある。このような不具合を解消したものに、例えば特許文献１に開示される調整式ストライクがある。この調整式ストライクは、調整用のねじをドライバ等の工具で回すだけで、錠ボルトに対する係合部（衝止縁）を有する内ケースの水平方向の位置を容易に調整でき、扉のガタツキを無くすように構成されている。
【特許文献１】特開平１０−１０２８３９号公報
【発明の開示】
【発明が解決しようとする課題】
【０００４】
しかしながら、上記した従来の調整式ストライクに採用されているストライク穴調整機構は、調整ねじの頭部に工具係着部を設け、その工具係着部を内ケース内に露出させているため、扉の開放時に、ストライク板を固定する螺合手段（ネジ）、調整ねじ等の多数のネジが表出し、見栄えを低下させる問題があった。また、扉の開放時に工具係着部が表出することで、調整ねじが悪戯されることがあった。さらに、工具係着部を悪意で操作して扉にガタツキを生じさせれば、不正な施錠解除も可能となり、防犯性を低下させる虞もあった。
【０００５】
本発明は上記状況に鑑みてなされたもので、扉の開放時に、ストライク板表面やトロヨケの凹部等に、螺合締結部材の工具係着部が表出しないストライク穴調整機構を提供し、もって、見栄えの向上、工具係着部の悪戯防止、防犯性の向上を図ることを目的とする。
【課題を解決するための手段】
【０００６】
次に、上記の課題を解決するための手段を、実施の形態に対応する図面を参照して説明する。
本発明の請求項１記載のストライク穴調整機構は、非開閉体１１側に固定され扉開閉端２３ａから進退する錠ボルト１３の進入するストライク穴２５が穿設された平板状のストライク板１５と、
該ストライク板１５と前記非開閉体１１との間に位置して前記非開閉体１１に固定され螺合手段２９にて該ストライク板１５の固定される固定面３３を有するとともに該固定面３３より低い段部４１を有し且つ該段部４１より低く凹設され前記錠ボルト１３が進入可能となる凹部４３を有したトロヨケ１７と、
前記錠ボルト１３の側部が当接する衝止縁４５ｂを有し該トロヨケ１７と前記ストライク板１５との間で左右方向に移動自在となり螺合締結部材２１を介して前記移動が規制されて前記トロヨケ１７に締結固定される調整板１９と、
を備え、
前記螺合締結部材２１の工具係着部４９ａが前記段部４１に配置されて前記ストライク板１５によって覆われることを特徴とする。
【０００７】
このストライク穴調整機構では、扉２３の開放時に、トロヨケ１７の段部４１に収容された工具係着部４９ａがストライク板１５によって覆われ、ストライク板１５の表面やトロヨケ凹部４３内に、工具係着部４９ａが表出しない。したがって、工具係着部４９ａを操作するには、先ず、ストライク板１５を取り外し、工具係着部４９ａを表出させた後となり、通常状態では、工具係着部４９ａが操作不能となる。すなわち、螺合締結部材２１の工具係着部４９ａが表出せず、外観としてのストライク板１５の見栄えを良くすることができる。
【０００８】
請求項２記載のストライク穴調整機構は、前記螺合締結部材２１が、
前記調整板１９及び前記トロヨケ１７を貫通して一端部に前記工具係着部４９ａを形成したネジ４９と、
前記トロヨケ１７の背面で該ネジ４９に螺合するナット部材５１と、
からなることを特徴とする請求項１記載のストライク穴調整機構。
【０００９】
このストライク穴調整機構では、ストライク板１５をトロヨケ１７に固定する螺合手段と、螺合締結部材２１とが、同種の工具係着部を一端部（頭部）に有したネジ２９，４９で構成可能となり、ストライク板１５を取り外した後、段部４１に表出するネジ４９の頭部（工具係着部）４９ａに対し、一般的な一つの工具（十字ドライバ等）を用いて作業が行える。
【００１０】
請求項３記載のストライク穴調整機構は、前記調整板１９には前記ネジ４９の貫通する上下長穴５７が形成され、
前記トロヨケ１７には前記ネジ４９の貫通する斜め長穴５９が形成されたことを特徴とする。
【００１１】
このストライク穴調整機構では、手前となる調整板１９の上下長穴５７でネジ４９が上下方向に移動されさるとともに、このネジ４９が調整板１９の裏に位置するトロヨケ１７の斜め長穴５９に沿って斜めに移動されることで、固定状態のトロヨケ１７に対して調整板１９が左右方向に移動可能となる。
【００１２】
請求項４記載のストライク穴調整機構は、前記トロヨケ１７の背面には、前記ナット部材５１の外周が当接して該ナット部材５１の回転を規制する回転阻止板６１が前記斜め長穴５９に沿って設けられたことを特徴とする。
【００１３】
このストライク穴調整機構では、ネジ４９の締結解除及び締結時に、ナット部材５１が斜め長穴５９に沿って移動されても、常にナット部材５１の外周が回転阻止板６１に当接して回動が規制された状態となり、任意の調整位置においてナット部材５１の空転が防止される。
【００１４】
請求項５記載のストライク穴調整機構は、前記回転阻止板６１が、前記ナット部材５１を挟む左右方向の前記衝止縁４５ｂ側に配設されたことを特徴とする。
【００１５】
このストライク穴調整機構では、扉２３から突出された錠ボルト１３の側部が衝止縁４５ｂに当接した状態（施錠状態）において、扉２３に開扉方向の力が加えられると、調整板１９の衝止縁４５ｂが錠ボルト１３の側部に押圧されるが、押圧方向に配設された回転阻止板６１にナット部材５１が当接することで、回転阻止板６１がネジ４９からの荷重受け部材となり、調整板１９の錠ボルト押圧耐力が高められる。なお、回転阻止板６１が反対側に配設される場合では回転止めのみの作用しか得られず、衝止縁４５ｂが錠ボルト１３の側部に押圧されると、ネジ４９が回転阻止板６１から離反することとなり、ネジ４９が斜め長穴５９に沿って可動し易くなってしまう。
【発明の効果】
【００１６】
本発明に係る請求項１記載のストライク穴調整機構によれば、トロヨケとストライク板との間で左右方向に移動自在となり螺合締結部材を介して移動が規制されてトロヨケに締結固定される調整板を備え、螺合締結部材の工具係着部が段部に配置されてストライク板によって覆われるので、扉の開放時に、ストライク板の表面やトロヨケの凹部内に、螺合締結部材の工具係着部が表出せず、見栄えを良くすることができる。また、工具係着部が悪戯されることも防止できる。さらに、工具係着部を悪意で操作して扉にガタツキを生じさせることが困難となるので、防犯性も向上させることができる。
【００１７】
請求項２記載のストライク穴調整機構によれば、螺合締結部材が、調整板及びトロヨケを貫通して一端部に工具係着部を形成したネジと、トロヨケの背面でネジに螺合するナット部材とからなるので、ストライク板を取り外した後、段部に表出するネジの頭部を、一般的な工具である十字ドライバ等を用いて回動することができ、ストライク板の取り外し作業、及び調整板の調整作業とを１つの工具を用いて簡便に行うことができる。
【００１８】
請求項３記載のストライク穴調整機構によれば、調整板にネジの貫通する上下長穴を形成し、トロヨケにネジの貫通する斜め長穴を形成したので、手前に位置する調整板の上下長穴でネジを上下方向に移動させることで、このネジがトロヨケの斜め長穴に沿って移動し、その結果、調整板をトロヨケに対して左右方向に移動できる。また、調整板の移動方向と同方向の左右方向の長穴を構成に含まないので、ネジ締結後の調整板の固定強度を高めることができる。
【００１９】
請求項４記載のストライク穴調整機構によれば、トロヨケの背面に、ナット部材の外周に当接してナット部材の回転を規制する回転阻止板を斜め長穴に沿って設けたので、ネジの締結解除及び締結時に、任意の調整位置においてナット部材の空転を防止でき、調整板の調整作業を容易にすることができる。
【００２０】
請求項５記載のストライク穴調整機構によれば、ナット部材を挟む左右方向の衝止縁側に回転阻止板を配設したので、ネジとナット部材とによって調整板が締結された状態において、調整板の衝止縁が錠ボルトの側部に押圧されても、押圧方向に配設された回転阻止板にナット部材が当接することとなり、調整板の錠ボルト押圧耐力を高めることができる。この結果、施錠時に過剰な開放力が扉に加えられても、調整板が移動することによる扉のガタツキが生じ難くなり、防犯性を向上させることができる。
【発明を実施するための最良の形態】
【００２１】
以下、本発明に係るストライク穴調整機構の好適な実施の形態を図面を参照して詳細に説明する。
図１は本発明に係るストライク穴調整機構を備えた調整式ストライクのストライク板を外した状態の斜視図、図２はストライク板を取り付けた調整式ストライクの斜視図、図３は図１に示した調整式ストライクの分解斜視図、図４は錠ボルトが挿入された図２のＡ−Ａ矢視図、図５はトロヨケの背面図、図６は図５のＢ−Ｂ矢視図である。
本実施の形態によるストライク穴調整機構を備えた調整式ストライク１００は、非開閉体である扉枠又は両開き扉の他の扉に設けられる。本実施の形態では、非開閉体を図１に示した扉枠１１とした例で説明する。また、調整式ストライク１００に挿入される錠ボルトは、ラッチボルト（デッドボルト兼用のものも含む）、デッドボルト、又はグレモン錠係止杆、或いはこれらを適宜組み合わせた施錠係止手段とすることができる。本実施の形態では、錠ボルトをデッドボルト兼用ラッチボルト（以下、「兼用ボルト」と言う。）１３（図４参照）とした例で説明する。
【００２２】
調整式ストライク１００は、ストライク板１５と、トロヨケ１７と、調整板１９と、螺合締結部材２１とを主要な構成部材として有している。ストライク板１５は、扉枠１１側に固定され、扉２３の開閉端２３ａから進退する兼用ボルト１３の進入する矩形状のストライク穴２５が穿設された平板状に形成される。また、ストライク板１５にはストライク穴２５を挟む上下に一対の固定穴２７，２７が穿設され、固定穴２７，２７はストライク板１５をトロヨケ１７に固定する螺合手段（ビス）２９，２９を挿通する。また、ストライク板１５の一方（図１の右方）の縦辺部にはＲ面３１が形成され、Ｒ面３１は兼用ボルト１３の傾斜面に衝接して兼用ボルト１３を後退させる。
【００２３】
トロヨケ１７は、ストライク板１５と扉枠１１との間に配設され、扉枠１１の取付穴１１ａに挿入固定される。トロヨケ１７の上下端には固定面３３，３３が形成され、固定面３３，３３は固定ビス３５，３５の挿通される固定穴３７，３７と、ネジ２９，２９の螺合する雌ネジ３９，３９を有している。トロヨケ１７は、固定穴３７，３７に挿通した固定ビス３５，３５をネジ穴１１ｂ，１１ｂに螺合することで、扉枠１１に固定される。固定面３３，３３には、ストライク板１５がネジ２９，２９によって固定される。トロヨケ１７には固定面３３，３３より低い段部４１，４１が形成され、段部４１，４１（図３参照）はそれぞれの固定面３３，３３に連設される。トロヨケ１７にはこの段部４１，４１よりさらに低い形状となる凹部４３が凹設され、凹部４３は兼用ボルト１３が進入可能となる凹部空間を形成する。
【００２４】
調整板１９には離間する一対の衝止縁４５ａ，４５ｂが形成され、衝止縁４５ａ，４５ｂは双方の間に、兼用ボルト１３を進入可能とする。衝止縁４５ａには兼用ボルト１３の傾斜側部が対面し、衝止縁４５ｂには兼用ボルト１３の垂直側部が当接する。調整板１９の衝止縁４５ａ，４５ｂを挟む上下には固着片４７，４７（図３参照）が連設され、固着片４７，４７は螺合締結部材２１によってトロヨケ１７に螺着可能となる。すなわち、調整板１９は、兼用ボルト１３の側部が当接する衝止縁４５ａ，４５ｂを有し、トロヨケ１７とストライク板１５との間で左右方向に移動自在となり、螺合締結部材２１を介してその移動が規制されて、トロヨケ１７に締結固定されるようになっている。
【００２５】
螺合締結部材２１は、調整板１９及びトロヨケ１７を貫通して一端部に工具係着部４９ａを形成したネジ４９と、トロヨケ１７の背面でネジ４９に螺合するナット部材５１とからなる。工具係着部４９ａは、工具である例えば十字ドライバを係着してネジ４９の締結・締結解除を可能にする。本実施の形態では、ナット部材５１は、楔形に形成される。なお、ナット部材５１は、通常の六角ナットとすることもできる。
【００２６】
調整板１９の上下長穴５７，５７に挿入されたネジ４９，４９は、工具係着部４９ａが、固着片４７，４７と共に、トロヨケ１７の段部４１，４１に収容される。したがって、トロヨケ１７の固定面３３，３３にストライク板１５が固定されることで、ネジ４９，４９の工具係着部４９ａは、ストライク板１５に覆われ、調整式ストライク１００の外観には表出しないようになっている。つまり、ストライク板１５の表面には図２に示すように、螺合締結部材としてネジ２９，２９のみしか表出しないようになっている。
【００２７】
本実施の形態では、ストライク板１５をトロヨケ１７に固定する螺合手段（ネジ２９，２９）と、螺合締結部材（ネジ４９，４９）とが、同種の工具係着部を一端部（頭部）に有したネジで構成可能となり、ストライク板１５を取り外した後、段部４１，４１に表出するネジ４９，４９の頭部に対し、一般的な工具（十字ドライバ等）を用いて作業が行える。これにより、ストライク板１５の取り外し作業、及び調整板１９の調整作業とを１つの工具を用いて簡便に行うことができるようになっている。なお、ネジ４９，４９と固着片４７，４７との間には、スプリングワッシャー５３，平ワッシャー５５の設けられることが好ましい。
【００２８】
調整板１９にはネジ４９，４９の貫通する上下長穴５７，５７が形成される。また、トロヨケ１７にはネジ４９，４９の貫通する斜め長穴５９，５９が形成される。すなわち、調整板１９の上下長穴５７，５７でネジ４９，４９が上下方向に移動されさるとともに、このネジ４９，４９がトロヨケ１７の斜め長穴５９，５９に沿って斜めに移動されることで、扉枠１１に固定状態となったトロヨケ１７に対して、調整板１９が左右方向に移動可能となっている。本実施の形態による上下長穴５７，５７と斜め長穴５９，５９では、調整板１９の左右方向６ｍｍ程度の調整範囲を可能にしている。また、本構成では、調整板１９の移動方向と同方向となる左右方向の長穴を構成に含まないので、ネジ締結後の調整板１９の固定強度、すなわち、調整板１９に兼用ボルト１３が衝止する方向に対しての強度を高めることができる。
【００２９】
図５，図６に示すように、トロヨケ１７の背面には、ナット部材５１の外周が当接してナット部材５１の回転を規制する回転阻止板６１，６１が斜め長穴５９，５９に沿って固設されている。したがって、ネジ４９，４９の締結解除及び締結時に、ナット部材５１が斜め長穴５９，５９に沿って移動されても、常にナット部材５１の外周が回転阻止板６１，６１の傾斜面６１ａ，６１ａに当接して回動が規制された状態となる。これにより、任意の調整位置においてナット部材５１の空転が防止され、調整板１９の調整作業が容易に行えるようになっている。
【００３０】
また、回転阻止板６１，６１は、ナット部材５１を挟む左右方向の衝止縁４５ｂ（兼用ボルト１３の垂直側部の当接する衝止縁）側に配設されている。扉２３から突出された兼用ボルト１３の垂直側部が衝止縁４５ｂに当接した状態（施錠状態）において（図４参照）、扉２３に開扉方向の力が加えられると、調整板１９の衝止縁４５ｂが兼用ボルト１３の垂直側部に押圧されるが、押圧方向（図５の左方向）に配設された回転阻止板６１にナット部材５１が当接することで、回転阻止板６１がネジ４９からの荷重受け部材となり、調整板１９の錠ボルト押圧耐力が高められることとなる。
【００３１】
なお、回転阻止板６１が反対側（図５の右側）に配設される場合では、回転止めのみの作用しか得られず、衝止縁４５ｂが兼用ボルト１３の垂直側部に押圧されると、ネジ４９が回転阻止板６１から離反することとなり、ネジ４９が斜め長穴５９に沿って可動し易くなってしまう。本構成では、このような不具合を防止して、施錠時に過剰な開放力が扉２３に加えられても、調整板１９が移動することによる扉２３のガタツキが生じ難くなり、防犯性を向上させることができる。
【００３２】
次に、上記したストライク穴調整機構の作用を説明する。
図７は調整板が右端に移動された動作説明図で、ストライク板を取り除いた状態での正面図を（ａ）に、略中央断面図を（ｂ）に示した図、図８は調整板が左端に移動された動作説明図で、ストライク板を取り除いた状態での正面図を（ａ）に、略中央断面図を（ｂ）に示した図である。
調整式ストライク１００は、調整板１９を、ネジ４９，４９、ナット部材５１等で予め固定したトロヨケ１７を、固定ビス３５，３５を用いて扉枠１１に固定する。初期の調整状態では、例えば図７に示すように、調整板１９が右端に設定されているものとする。トロヨケ１７が固定されたなら、図２に示す状態に、ストライク板１５をネジ２９，２９にてトロヨケ１７に固定する。
【００３３】
次いで、扉２３を閉止し、兼用ボルト１３がトロヨケ１７の凹部４３に進入した状態（施錠状態等）とする。この状態で、例えば扉枠１１と扉２３との間に、隙間が生じていると、扉２３には、兼用ボルト１３の扉開放方向の面である垂直側部が衝止縁４５ｂに衝接する位置から、当該隙間の分、ガタツキが生じる。このガタツキは、建具の施工誤差、製品の寸法公差、歪み、或いは扉枠１１に設けられているパッキンの形状・材質等によって生じる。
【００３４】
このガタツキが生じている場合には、ネジ２９，２９を締結解除して、ストライク板１５を取り外し、調整板１９を固定するネジ４９，４９を表出させる。次いで、ネジ２９，２９の締結解除に用いた同一の工具によりネジ４９，４９を若干緩め、図８に示すように、調整板１９を同図の左方へ移動してネジ４９，４９を締結する。この際、ネジ４９，４９に螺合されるナット部材５１は、回転阻止板６１，６１によって回転が阻止されているので、トロヨケ１７を固定したままの状態で、ネジ４９，４９のみを操作することで、調整板１９の移動調整が可能となる。
【００３５】
調整板１９の位置調整が完了したなら、ストライク板１５をネジ２９，２９にてトロヨケ１７に固定することで、ネジ４９，４９等をストライク板１５で覆って調整作業を終了する。調整のなされた調整式ストライク１００では、衝止縁４５ｂが扉枠１１に接近する方向（図８の左方向）へ移動された分、兼用ボルト１３の垂直側部の衝接する位置が調整前よりも扉枠１１へ接近する方向へ移動する。これにより、当初生じていた扉枠１１と扉２３との余分な間隙が除去され、閉止状態での扉２３にガタツキが生じなくなる。
【００３６】
そして、扉２３の開放時では、トロヨケ１７の段部４１，４１に収容された工具係着部４９ａがストライク板１５によって覆われ、ストライク板１５の表面やトロヨケ１７の凹部４３内に、工具係着部４９ａが表出しない。したがって、通常状態では、工具係着部４９ａが操作不能となる。
【００３７】
このように、上記のストライク穴調整機構によれば、トロヨケ１７とストライク板１５との間で左右方向に移動自在となりネジ４９，４９を介して移動が規制されてトロヨケ１７に締結固定される調整板１９を備え、ネジ４９，４９の工具係着部４９ａが段部４１，４１に配置されてストライク板１５によって覆われるので、扉２３の開放時に、ストライク１５の板表面やトロヨケ凹部４３内に、ネジ４９，４９の工具係着部４９ａが表出せず、見栄えを良くすることができる。また、工具係着部４９ａが悪戯されることも防止できる。さらに、工具係着部４９ａを悪意で操作して扉２３にガタツキを生じさせることが困難となるので、防犯性も向上させることができる。
【００３８】
なお、上記の実施の形態では、錠ボルトがデッドボルト兼用ラッチボルトである場合を例に説明したが、本発明に係るストライク穴調整機構は、ラッチボルトと、デッドボルトとの２つの錠ボルトが設けられ、双方の錠ボルトに対して本ストライク穴調整機構が設けられるものであっても良い。
【００３９】
また、本発明に係るストライク穴調整機構は、デッドボルト、ラッチボルト以外の例えばグレモン錠の係止杆が挿入する係止穴に採用されても、上記効果と同様の効果を奏するものである。
【図面の簡単な説明】
【００４０】
【図１】本発明に係るストライク穴調整機構を備えた調整式ストライクのストライク板を外した状態の斜視図である。
【図２】ストライク板を取り付けた調整式ストライクの斜視図である。
【図３】図１に示した調整式ストライクの分解斜視図である。
【図４】錠ボルトが挿入された図２のＡ−Ａ矢視図である。
【図５】トロヨケの背面図である。
【図６】図５のＢ−Ｂ矢視図である。
【図７】調整板が右端に移動された動作説明図で、ストライク板を取り除いた状態での正面図を（ａ）に、略中央断面図を（ｂ）に示した図である。
【図８】調整板が左端に移動された動作説明図で、ストライク板を取り除いた状態での正面図を（ａ）に、略中央断面図を（ｂ）に示した図である。
【符号の説明】
【００４１】
１１…非開閉体（扉枠）
１３…錠ボルト（兼用ボルト）
１５…ストライク板
１７…トロヨケ
１９…調整板
２１…螺合締結部材
２３…扉
２３ａ…扉開閉端
２５…ストライク穴
２９…螺合手段
３３…固定面
４１…段部
４３…凹部
４５ａ，４５ｂ…衝止縁
４９…螺合締結部材（ネジ）
４９ａ…工具係着部
５１…螺合締結部材（ナット部材）
５７…上下長穴
５９…斜め長穴
６１…回転阻止板
１００…調整式ストライク
【図１】
2008179976.tif 000003
【図２】
2008179976.tif 000004
【図３】
2008179976.tif 000005
【図４】
2008179976.tif 000006
【図５】
2008179976.tif 000007
【図６】
2008179976.tif 000008
【図７】
2008179976.tif 000009
【図８】
2008179976.tif 000010